(57)【要約】【課題】書籍等の電子データ化に伴い一連のページ画像を編集する際の作業性を向上させる。【解決手段】１回目の連続撮影で取得された一群のページ画像をグループとして管理し、一連のページ画像の一部を表示するとき、先行グループと後続グループの境界に位置する各ページ画像の間に境界マーク５０１を表示する。境界マーク５０１の表示によって、電子データ化するページ数が多い場合であっても、どのページ画像が同じ（１回の）連続撮影で得られたものであるかを容易に知ることができる。【選択図】図６
2017134642.tif 000002
【特許請求の範囲】
【請求項１】
連続撮影により取得される複数の撮影画像を記憶装置に記憶させる記憶制御手段と、
前記記憶装置に記憶された複数の撮影画像のうち、１回の前記連続撮影により取得された一群の撮影画像をグループとして管理する管理手段と、
前記記憶装置に記憶されている複数の撮影画像を互いの前後関係を維持し、かつ各グループの境界を明示した状態で表示画面に表示する表示制御手段と、
を備えたことを特徴とする画像管理装置。
【請求項２】
前記複数の撮影画像の各々は、連続するページが個別に取得されたページ画像であることを特徴とする請求項１記載の画像管理装置。
【請求項３】
前記管理手段は、１回の前記連続撮影が行われる毎に前記グループの識別に使用するグループ識別情報を設定し、設定したグループ識別情報に前記一群の撮影画像を個別に関係付けることにより、１回の前記連続撮影により取得された一群の撮影画像をグループとして管理することを特徴とする請求項１又は２記載の画像管理装置。
【請求項４】
前記表示制御手段は、前記各グループにおける前後関係が先行する先行グループの末尾の撮影画像と前後関係が後続する後続グループの先頭の撮影画像との間に境界マークを表示することによって、前記表示画面に各グループの境界を明示することを特徴とする請求項１乃至３のいずれか１項に記載の画像管理装置。
【請求項５】
前記表示制御手段は、前記複数の撮影画像の互いの前後関係を維持し、かつ各グループの境界を明示した状態で前記表示画面に表示している間、表示対象となる前記複数の撮影画像の移動を指示するための移動指示ボタンを前記表示画面に表示するとともに、前記移動指示ボタンによる指示に応答し、前記複数の撮影画像の表示範囲を、明示している各グループの境界と前後する他の境界に対応する表示範囲に変更することを特徴とする請求項１乃至４のいずれか１項に記載の画像管理装置。
【請求項６】
前記表示制御手段は、前記移動指示ボタンとして、前記複数の撮影画像の表示範囲を、明示している各グループの境界を前記複数の撮影画像の前後関係に応じた１つ前の境界に対応する表示範囲に変更するための第１の移動指示ボタンと、明示している各グループの境界を前記複数の撮影画像の前後関係に応じた１つ次の境界に対応する表示範囲に変更するための第２の移動指示ボタンとを前記表示画面に個別に表示することを特徴とする請求項５記載の画像管理装置。
【請求項７】
前記記憶制御手段は、前記連続撮影により取得された複数の撮影画像と互いに前後関係を有するとともに、前記連続撮影とは異なる撮影により取得された個別の撮影画像を前記記憶装置に更に記憶し、
前記管理手段は、前記個別の撮影画像を前記グループと別に管理し、
前記表示制御手段は、表示対象に前記個別の撮影画像が含まれる場合、前記表示画面に当該撮影画像を他の撮影画像と識別可能に表示する
ことを特徴とする請求項１乃至６のいずれか１項に記載の画像管理装置。
【請求項８】
連続撮影により取得される複数の撮影画像を管理する方法であって、
前記複数の撮影画像を記憶装置に記憶させる記憶制御ステップと、
前記記憶装置に記憶した複数の撮影画像のうち、１回の前記連続撮影により取得された一群の撮影画像をグループとして管理する管理ステップと、
前記記憶装置に記憶されている複数の撮影画像を互いの前後関係を維持し、かつ各グループの境界を明示した状態で表示画面に表示する表示制御ステップと、
を含むことを特徴とする画像管理方法。
【請求項９】
コンピュータを、
連続撮影により取得される複数の撮影画像を記憶装置に記憶させる記憶制御手段、
前記記憶装置に記憶された複数の撮影画像のうち、１回の前記連続撮影により取得された一群の撮影画像をグループとして管理する管理手段、
前記記憶装置に記憶されている複数の撮影画像を互いの前後関係を維持し、かつ各グループの境界を明示した状態で表示画面に表示する表示制御手段、
として機能させるためのプログラム。
【発明の詳細な説明】
【技術分野】
【０００１】
本発明は、互いに前後関係を有する複数の撮影画像を管理する技術に関する。
【背景技術】
【０００２】
従来、書籍等（例えば本や雑誌）の重なっているページ（右ページ、又は左ページ）をページめくり装置を用いて１枚ずつ順にめくるとともに、各ページを連続撮影して電子データ化し、複数ページ分の電子データを書籍ファイルとして記録する書画カメラシステムが知られている（例えば特許文献１，２参照）。係る書画カメラシステムを用いれば、一般に販売されている所謂電子書籍と同様の書籍ファイルを誰もが簡単に作成することができる。
【先行技術文献】
【特許文献】
【０００３】
【特許文献１】特開２０１４−１１７８９３号公報
【特許文献２】特開２０１５−６７５４号公報
【発明の概要】
【発明が解決しようとする課題】
【０００４】
しかしながら、書籍ファイルを作成する際には、各ページを撮影した撮影画像、すなわち一連のページ画像をそのまま使用したのでは書籍としての品質を確保することが難しいため、各ページ画像に対して各種の編集作業を行う必要がある。係る編集作業には、各ページ画像から書籍のページ部分だけを切り出すトリミングや色補正等がある。
【０００５】
他方、電子データ化するページ数が多い場合においては、全てのページ（右ページ、又は左ページ）を１回の連続撮影では撮影できず複数回に分けて撮影する場合がある。その場合、撮影された一連のページ画像は撮影条件等が同一であるため、同じ連続撮影で得られたページ画像に同様の編集作業を行えばよい。
【０００６】
しかし、編集作業段階では、どのページ画像が同じ連続撮影で得られたものであるかを知るためには、各ページ画像を個別に確認する必要があり、編集作業が煩雑にならざるを得ない。しかも、ページ数や撮影回数が多くなるに従い煩雑さが増大するという問題があった。
【０００７】
本発明は、上記の課題に鑑みてなされたものであり、書籍等の電子データ化に伴い一連のページ画像を編集する際の作業性を向上させることを目的とする。
【課題を解決するための手段】
【０００８】
上記の目的を達成するため、本発明に係る画像管理装置は、連続撮影により取得される複数の撮影画像を記憶装置に記憶させる記憶制御手段と、前記記憶装置に記憶された複数の撮影画像のうち、１回の前記連続撮影により取得された一群の撮影画像をグループとして管理する管理手段と、前記記憶装置に記憶されている複数の撮影画像を互いの前後関係を維持し、かつ各グループの境界を明示した状態で表示画面に表示する表示制御手段と、を備えたことを特徴とする。
【発明の効果】
【０００９】
本発明によれば、書籍等の電子データ化に伴い一連のページ画像を編集する際の作業性を向上させることが可能となる。
【図面の簡単な説明】
【００１０】
【図１】本発明の一実施の形態に係る書画カメラシステムの概略構成を示す斜視図である。
【図２】書画カメラシステムの電気的構成の要部を示すブロック図である。
【図３】タブレットにおける撮影モードでの動作を説明するためのフローチャートである。
【図４】ブロック管理情報を説明するための概念図である。
【図５】タブレットにおけるページ編集モードでの動作を説明するためのフローチャートである。
【図６】ページ番号編集画面の一例を示す図である。
【図７】表示範囲の変更後の状態を示す図６に対応する図である。
【図８】ページ挿入後のブロック管理情報を説明する図４に対応する概念図である。
【図９】ページ挿入後のページ番号編集画面の一例を示す図である。
【発明を実施するための形態】
【００１１】
以下、本発明の実施形態を、図面を参照して説明する。
【００１２】
図１は、本発明の一実施の形態に係る書画カメラシステム１の概略構成を示す斜視図である。この書画カメラシステム１は、タブレット２とページめくり装置３とから構成される。
【００１３】
ページめくり装置３は、開かれた書籍Ｂを保持する保持台５と、保持台５上の書籍Ｂのめくり元位置にあるページＰを保持し、ページＰのめくり先位置でページＰに対する保持を解除することによってページＰをめくる装置本体４と、保持台５に着脱自在なクリップ６と、ページレシーバー７とを備えている。
【００１４】
装置本体４には、ページＰを機械的にめくるめくり機構４１と、めくり機構４１の動作中に、めくり元位置にあるページＰの上方でめくり先位置に向けて風を送り、既にめくられたページＰの戻りを風圧によって防止するための送風部４４とが設けられている。
【００１５】
めくり機構４１は、所定の角度範囲で回転自在なアーム４２と、その先端に設けられた粘着ローラー４３とを備えている。粘着ローラー４３は、アーム４２の先端に回転自在に取り付けられたスポンジやゴム等の弾性部材の周面に、仮止め用の粘着テープと同様の弱い粘着力を有する粘着部材が巻き付けられた構成である。
【００１６】
ページめくり装置３においては、めくり機構４１のアーム４２が基端部を中心に反時計方向と時計方向とに回転し、それに伴い粘着ローラー４３が開かれた書籍Ｂの上方で円弧を描いてめくり元位置（図１で見開きページの左側）とめくり先位置（図１で見開きページの右側）との間を往復することにより、めくり元位置にあるページＰをめくり先位置にめくることができる。
【００１７】
一方、タブレット２は、カメラ（後述する撮像部）を備えた携帯可能な情報処理端末であって、スタンド２０を用いて書籍（例えば本や雑誌）Ｂの上方に設置されることにより、書籍Ｂのめくり元位置のページＰを撮影対象として撮影する。なお、タブレット２とページめくり装置３とは、それぞれに内蔵されたＢｌｕｅｔｏｏｔｈ（登録商標）やＷｉ−Ｆｉ（登録商標）等の近距離無線通信アダプタを介して通信可能である。
【００１８】
図２は、タブレット２とページめくり装置３との電気的構成の要部を示すブロック図である。まず、ページめくり装置３の電気的構成について説明する。
【００１９】
ページめくり装置３は、主として制御部３１と、記憶部３２、第１のモータ駆動回路部３３、第２のモータ駆動回路部３４、通信部３５、操作部３６、電源部３７から構成される。記憶部３２には、各種プログラムが記録されたＲＯＭ（Read Only Memory）と、当該プログラムが展開されるＲＡＭ（Random Access memory）とが含まれる。
【００２０】
操作部３６には、電源スイッチ等の各種スイッチが含まれる。第１のモータ駆動回路部３３には、めくり機構４１を駆動するモータや、送風部４４に設けられたファンを駆動するモータ、及びそれらのモータを駆動するモータドライバ等が含まれる。第２のモータ駆動回路部３４には、ページレシーバー７の内蔵モータを駆動するモータドライバが含まれる。
【００２１】
通信部３５は、タブレット２との通信インタフェースを司り、Ｂｌｕｅｔｏｏｔｈ（登録商標）やＷｉ−Ｆｉ（登録商標）等の通信方式によってタブレット２との接続を行う。電源部３７は、各ブロック３１〜３６に電力を供給する。
【００２２】
制御部３１は、通信部３５を介してタブレット２から受信した動作パラメータを記憶部３２に記録し、記憶部３２に記憶されているプログラムに従い動作パラメータに基づきタブレット２と協働して第１のモータ駆動回路部３３と第２のモータ駆動回路部３４とを制御し、アーム４２、及び送風部４４に設けられたファンやページレシーバー７を駆動する。
【００２３】
次に、タブレット２の電気的構成について説明する。タブレット２は、主として撮像部２１と、操作部２２と、表示部２３と、通信部２４と、制御部２５と、記憶部２６とから構成される。
【００２４】
撮像部２１は、書籍Ｂ等のページ画像を撮影可能なカメラであり、レンズを含む光学系の他に、ＣＣＤ（Charge Coupled Device）やＣＭＯＳ（Complementary Metal Oxide Semiconductor）等で構成された撮像素子等を有する。レンズを介して入射した光像は、この撮像素子でアナログ画像信号に光電変換され、色分離や色成分の毎のゲイン調整が行われた後に、ディジタルデータに変換される。なお、レンズ及び撮像素子は、図１には表れないタブレット２の裏面側に設けられている。
【００２５】
表示部２３は、ＬＣＤ（Liquid Crystal Display）や有機ＥＬ（Electro Luminescence）等の表示モニタを有し、表示モニタの画面上に撮像部２１により撮像されたページ画像や各種情報等を表示する。
【００２６】
操作部２２は、図示しない電源キー等の最小限の操作スイッチと、表示部２３が有する表示モニタの表面に一体的に設けられタブレット２の表面を構成するタッチパネルを含み、ユーザーによるタブレット２の操作情報を制御部２５へ供給する。
【００２７】
通信部２４は、ページめくり装置３との通信インタフェースを司り、Ｂｌｕｅｔｏｏｔｈ（登録商標）やＷｉ−Ｆｉ（登録商標）等の通信方式によってページめくり装置３との接続を行う。
【００２８】
制御部２５は、ＣＰＵ（Central Processing Unit）、及びその周辺回路等や、ＲＡＭ（Random Access memory）等を含み、タブレット２の各部を制御する。
【００２９】
記憶部２６には、例えば、半導体メモリが実装され、各種のアプリケーションプログラム、制御部２５がプログラム実行の過程で生成する各種データや、アプリケーションプログラムに使用され各種の設定データ等が保存されている。上記アプリケーションプログラムには、ページめくり装置３を用いて書籍等の各ページを撮影し、撮影により取得したページ画像を書籍ファイルとして記憶部２６に保存したり、保存した書籍ファイルの閲覧や編集を行うための書籍管理プログラムが含まれる。
【００３０】
また、記憶部２６には、書籍ファイルの生成過程において、書籍等の各ページを撮影した撮影画像である複数ページ分のページ画像、及び書籍の表紙と、見返し（裏表紙側）、裏表紙、見返し（表紙側）をそれぞれ撮影した撮影画像からなる一連のページ画像、すなわち互いに前後関係を有する複数の撮影画像が記憶される。
【００３１】
さらに、記憶部２６には、書籍ファイルや、一連のページ画像を書籍毎に管理するための管理テーブル２６０を記憶する領域が確保されている。管理テーブル２６０には、書籍ファイルとして統合される以前の一連のページ画像について、各ページ画像と書籍の各ページとの対応関係を示す情報や、書籍のタイトルやページ数や書籍毎のページ画像のデータ量等の各種の管理情報が、書籍等のファイル化対象別に記憶されている。なお、管理情報には、１回の連続撮影により取得された一群のページ画像を１グループとして管理するための、後述するブロック管理情報が含まれる。
【００３２】
以上の構成からなる書画カメラシステム１においては、ユーザーがタブレット２において書籍管理プログラムを起動させると、タブレット２とページめくり装置３とが無線接続される。その状態で、タブレット２を図１に示したようにページめくり装置３の上方に設置し、その状態でユーザーがタブレット２を操作すれば、タブレット２がページめくり装置３のページめくり動作を制御しながら、書籍等の各ページを撮影してページ画像を取得する。
【００３３】
各ページの撮影には、表紙、見返し（表紙側）、左ページ、右ページ、裏表紙、見返し（裏表紙側）の各々の撮影が含まれる。また、左ページ及び右ページの撮影は１又は複数回の連続撮影によって行われる。そして、撮影された一連のページ画像は、各種の編集作業を行った後、単一のファイルに結合させることにより書籍ファイルとして保存することができる。
【００３４】
以下、タブレット２の動作について説明する。まず、タブレット２における撮影モードでの動作について説明する。
【００３５】
撮影モードは、書籍の表紙、見返し（表紙側）、左ページ、右ページ、裏表紙、見返し（裏表紙側）の撮影に使用される動作モードである。より具体的に述べると、撮影モードは、タブレット２に表示された操作メニュー画面から、ユーザーによって新たにファイル化する書籍、又はファイル化の作業途中である書籍が指定された後、選択することができる動作モードである。なお、ユーザーによるタブレット２の操作は画面上のタッチ操作により行われる。
【００３６】
図３は、撮影モードにおいてユーザーが新たな書籍を撮影対象として左ページ又は右ページの撮影開始を指示したとき、制御部２５が書籍管理プログラムに従い実行する処理内容を示したフローチャートである。
【００３７】
制御部２５は、処理を開始するとともに、今回の連続撮影で取得する一群のページ画像を関係付ける（紐付けする）ブロック番号を管理テーブル２６０内に設定する（ステップＳＡ１）。ブロック番号は連続撮影を行う毎にインクリメントされる数値であり、処理開始当初には初期値としてブロック番号として「１」が設定される。
【００３８】
次に、制御部２５は、撮像部２１によって最初のページを撮影し、撮影画像を記憶部２６の作業領域にページ画像として保存し（ステップＳＡ２）、保存したページ画像を現在のブロック番号（ここでは「１」）と関係付ける（ステップＳＡ３）。
【００３９】
引き続き、制御部２５は、ページめくり装置３に対してページめくり動作を指示し、撮影済みのページをめくらせる（ステップＳＡ４）。具体的には、ページめくり装置３にページめくり動作の開始を指示する信号を送信するとともに、ページめくり装置３との間でポーリングを行い、ページめくり動作の完了が確認できるまで待機する。
【００４０】
しかる後、制御部２５は、ページめくり動作の完了が確認できた段階で新たなページを撮影し、撮影画像を記憶部２６の作業領域にページ画像として保存した後（ステップＳＡ５）、保存したページ画像を現在のブロック番号と関係付ける（ステップＳＡ６）。
【００４１】
なお、図３では省略するが、以上の処理において制御部２５は、ステップＳＡ２の処理、及びステップＳＡ５の処理では新たなページを撮影する毎に、ユーザーに撮影開始が指示されてからの連続撮影枚数をカウントする。その際、制御部２５は、連続撮影枚数とは別に書籍毎の撮影ページ数（撮影順と一致する値）もカウントし、それを他の管理情報とともに管理テーブル２６０に記憶する。
【００４２】
引き続き、制御部２５は、連続撮影枚数が予め設定されている既定数（例えば５０枚）に達したか否かを確認し、既定数に達していなければ（ステップＳＡ７：ＮＯ）、ユーザーから撮影停止指示があったか否かをさらに確認する（ステップＳＡ８）。
【００４３】
ここで、撮影停止指示がなければ（ステップＳＡ８：ＮＯ）、制御部２５はステップＳＡ４の処理に戻り、それ以降の処理を繰り返す。すなわちページめくり装置３に次のページめくり動作を行わせて新たなページを撮影し、撮影したページ画像を保存するとともに、そのページ画像を現在のブロック番号と関係付ける一連の処理を繰り返す。これによって左ページ又は右ページのみを対象とした各ページが連続撮影され、各ページの撮影画像が順に記憶部２６に保存される。
【００４４】
その間、制御部２５は、連続撮影枚数が既定数に達するか（ステップＳＡ７：ＹＥＳ）、又はユーザーから撮影停止指示があると（ステップＳＡ８：ＹＥＳ）、その時点で、ステップＳＡ４〜ステップＳＡ６の処理から抜けて、連続撮影枚数をリセットする（ステップＳＡ９）。つまり、制御部２５は、連続撮影枚数が既定数に達すると、現在行っている連続撮影を自動的に停止し、連続撮影枚数が既定数に達する以前であっても、ユーザーから撮影停止指示があれば、連続撮影を直ちに停止する。連続撮影枚数をリセットする。
【００４５】
以後、制御部２５はユーザーからの指示待ちを行う。すなわち、制御部２５は、ユーザーから撮影再開指示があるか否かを確認し、撮影再開指示がなければ（ステップＳＡ１０：ＮＯ）、さらに撮影終了が指示されたか否かを逐次確認する（ステップＳＡ１２）。
【００４６】
ここで、例えばユーザーが、めくり先位置に重なったページをクリップ６（図１参照）を用いて確実に固定する作業を行い、撮影再開指示を行うと（ステップＳＡ１０：ＹＥＳ）、制御部２５は、現在のブロック番号をインクリメントして新たなブロック番号を設定するとともに（ステップＳＡ１１）、ステップＳＡ４の処理に戻り、それ以降の処理を再び繰り返す。これにより、新たな連続撮影が開始され、新たに撮影された各ページの撮影画像が順に記憶部２６に保存されるとともに、それらが新たなブロック番号と関係付けられる。
【００４７】
一方、制御部２５は、ユーザーから撮影再開指示がなく（ステップＳＡ１０：ＮＯ）、撮影終了が指示された場合には（ステップＳＡ１２：ＹＥＳ）、その時点で処理を終了する。
【００４８】
以上の処理に伴い管理テーブル２６０には、撮影対象となった書籍に関するブロック管理情報が記憶される。図４は、右開きの書籍の左ページのページ画像に関するブロック管理情報を説明するために便宜的に示した図である。また、図４は、各ページの連続撮影時に５０ページ目のページ画像が撮影された時点、及び７５ページ目のページ画像が撮影された時点で連続撮影がいったん停止されていた場合の例である。
【００４９】
先に述べたように撮影ページ数は連続撮影された各ページ画像にそれぞれ対応しており、同一のブロック番号に対応する各々の撮影ページ数によって示される複数のページ画像が、１回目の連続撮影で取得された一群のページ画像、つまり管理上のグループである。例えば撮影ページ数「１」〜「５０」で示される複数のページ画像が１回目の連続撮影で取得された一群のページ画像、撮影ページ数「５１」〜「７５」で示される複数のページ画像が２回目の連続撮影で取得された一群のページ画像である。
【００５０】
なお、管理テーブル２６０には、各撮影ページ数に対応する書籍のページ番号が記憶されており、撮影対象が右開きの書籍の左ページである場合のページ番号は奇数である。また、上記の処理が書籍の右ページを対象として行われると、管理テーブル２６０には、右ページの各ページ画像に関するブロック管理情報が記憶される。このブロック管理情報のうち、連続撮影が行われる度に設定されたブロック番号が本発明のグループ識別情報に相当する。
【００５１】
次に、タブレット２におけるページ編集モードでの動作について説明する。ページ編集モードは、タブレット２に表示された操作メニュー画面から、ユーザーによってファイル化の作業途中である書籍が指定された後、選択することができる動作モードである。なお、撮影モードでの動作終了後に自動的に移行する動作モードでもある。
【００５２】
図５は、ページ編集モードにおいて、制御部２５が書籍管理プログラムに従い実行する処理内容を示したフローチャートである。
【００５３】
制御部２５は、ページ編集モードでの処理を開始すると、直ちに管理テーブル２６０に記憶されているブロック管理情報を読み出し（ステップＳＢ１）、それに基づいて表示部２３の表示画面に図６に示したページ番号編集画面Ｇ１を表示する（ステップＳＢ２）。
【００５４】
図に示したようにページ番号編集画面Ｇ１は、上縁に沿って固定して確保される機能表示領域Ｇａと、それを除く一般領域Ｇｂとから構成される。
【００５５】
機能表示領域Ｇａには、現在の動作状態を示すキャプションｃ１（図で「ページ番号」）と、編集を指示するための編集ボタンｂ１、保存を指示するための保存ボタンｂ２を含む各種の表示要素が表示される。なお、ここではＧＵＩ（Graphical User Interface）を実現するため表示部２３の表示画面に表示されるとともに、ユーザーによりタッチ操作される文字や絵柄等からなる各種の表示要素を「ボタン」と呼ぶ。
【００５６】
そして、ページ番号編集画面Ｇ１の表示に際して制御部２５は、管理テーブル２６０に記憶されている管理情報に基づき、記憶部２６に保存されている一連の左ページ画像の各々１０１と一連の右ページ画像の各々２０１とを縮小して一般領域Ｇｂにページ順に並べて表示する。具体的には、各々の左ページ画像１０１と右ページ画像２０１を一組とし、それを左右に隙間なく並べて配置することによって見開き状態の書籍を表現するとともに、各組を間隔を空けてページ順に従い縦方向に並べて表示する。なお、以下の説明においては、左ページ画像１０１と右ページ画像２０１とを必要に応じページ画像と呼ぶものとする。
【００５７】
また、ページ番号編集画面Ｇ１の表示に際して制御部２５は、各々の左ページ画像１０１の左側、及び各々の右ページ画像２０１の右側にページ番号オブジェクト３０１を表示する。ページ番号オブジェクト３０１は、ページ画像（左ページ画像１０１及び右ページ画像２０１）に対応するページ番号３０２と、左ページ画像１０１、及び右ページ画像２０１のそれぞれの総数３０３とを上下に並べて表示するものである。
【００５８】
また、ページ番号編集画面Ｇ１の表示に際して制御部２５は、一般領域Ｇｂの右辺に沿ってルーラー４０１も表示する。このルーラー４０１は、現在表示中のページ画像が、書籍等の全ページのどの辺の範囲のページに対応するものかを示すものである。
【００５９】
さらに、ページ番号編集画面Ｇ１の表示に際して制御部２５は、対応する撮影ページ数が相前後するページ画像の間であって、関係付けられているブロック番号が前後する上側のページ画像と下側のページ画像との間に境界マーク５０１を表示する。
【００６０】
すなわち図６は、管理テーブル２６０に図４で例示したブロック管理情報が記憶される場合の図であり、この例ではページ番号が「９９」と「１０１」との各左ページ画像１０１の間であって、ブロック番号が相前後する先行グループと後続グループの境界（以下、グループ境界という。）に位置する各ページ画像（先行グループの末尾のページ画像と後続グループの先頭のページ画像）の間に境界マーク５０１が表示されている。
【００６１】
また、制御部２５は、境界マーク５０１とともに、上側のページ画像の下辺部に上ボタンｄ１を表示するとともに、下側のページ画像の上辺部分に下ボタンｄ２を表示する。上ボタンｄ１と下ボタンｄ２は、ページ画像の表示範囲を、各グループの境界と前後する他の境界に対応する表示範囲に変更するためのものである。
【００６２】
以後、制御部２５は、表示画面に対してスクロール操作があれば（ステップＳＢ３：ＹＥＳ）、それに応じて画面（但し、一般領域Ｇｂのみ）をスクロールさせ、先行するページや後続するページの各ページ画像１０１，２０１を順に表示させる（ステップＳＢ４）。
【００６３】
また、上ボタンｄ１や下ボタンｄ２を表示している間に、ユーザーによりそれらがタッチ操作されると（ステップＳＢ５：ＹＥＳ）、制御部２５は、ページ画像の表示範囲を前又は後のグループ境界へ移動する（ステップＳＢ６）。つまり操作があった上ボタンｄ１や下ボタンｄ２が表示されているページ画像を１つ前のグループの末尾のページ画像や、１つ後のグループの先頭のページ画像に変更する。
【００６４】
図７は、図６に示したページ番号編集画面Ｇ１において下ボタンｄ２が操作された場合におけるページ画像の表示範囲を示した図である。この場合、変更後の表示範囲は、ブロック番号「２」に関係付けられているグループ（一群のページ画像）と、ブロック番号「３」に関係付けられているグループ（一群のページ画像）とのグループ境界の前後のページ画像、すなわちページ番号が「１４９」と「１５１」との各左ページ画像１０１が表示された範囲となる。また、図７に示したページ番号編集画面Ｇ１において上ボタンｄ１が操作された場合には、変更後の表示範囲が、図６に示したようにページ番号が「９９」と「１０１」との各左ページ画像１０１が表示された範囲となる。
【００６５】
つまり本実施形態において上ボタンｄ１が本発明における第１の移動指示ボタンとして機能する。これにより、ユーザーは画面をいちいちスクロールさせることなく、上ボタンｄ１を使用することにより、末尾のページ画像が表示されているグループの先頭のページ画像を直ちに確認することができ、かつ下ボタンｄ２を使用することにより、先頭のページ画像が表示されているグループの末尾のページ画像を直ちに確認することができる。
【００６６】
なお、ステップＳＢ４，ＳＢ６の処理に際して制御部２５は、新たに表示させる左ページ画像１０１及び右ページ画像２０１に応じてページ番号オブジェクト３０１のページ番号３０２とルーラー４０１も更新する。
【００６７】
また、ページ番号編集画面Ｇ１を表示している間、制御部２５は、ユーザーから編集ボタンｂ１のタッチ操作による編集指示があると（ステップＳＢ７：ＹＥＳ）、編集処理を実行する（ステップＳＢ８）。この編集処理は、編集対象となる１又は複数のページ画像をユーザーに選択させ、それらに対してトリミングや色補正、ページ画像の削除、任意のページ位置への新たなページ画像の挿入を行う処理である。
【００６８】
その際、制御部２５は、同一のブロック番号と関係付けられている一群のページ画像の一括選択、及びそれらに対する一括編集を可能とする。また、新たなページ画像の挿入に際して制御部２５は、ユーザーの指示に応じて所定のページを再撮影（但し、１ページ分の１回の撮影。）し、取得したページ画像を記憶部２６に保存する。
【００６９】
なお、編集処理においても制御部２５は、ページ番号編集画面Ｇ１と同様に、一般領域Ｇｂに左ページ画像１０１と右ページ画像２０１を一組にして表示するとともに、各ページ画像をスクロール可能とする。また、制御部２５は、グループ境界には境界マーク５０１、上ボタンｄ１下ボタンｄ２を表示し、ユーザーによるグループ単位での表示範囲の移動を可能とする。
【００７０】
そして、編集処理においてページ画像の挿入を行った場合（ステップＳＢ９：ＹＥＳ）、１回の連続撮影で取得された一群のページ画像を示すブロック番号に使用しない特定のブロック番号を管理テーブル２６０内に設定し、ユーザーによって挿入（再撮影）され、保存した新たなページ画像を、その特定のブロック番号と関係付ける（ステップＳＢ１０）。なお、本実施形態における特定のブロック番号は「０」である。これにより、制御部２５は、それ以降の編集処理に際して上記新たなページ画像を前述した一括選択、及び一括編集の対象外とする。
【００７１】
図８は、ステップＳＢ１０の処理に伴い変更されたブロック管理情報を説明するための図４に対応する概念図であり、編集処理において、撮影ページ数「５３」のページ画像がいったん削除された後、撮影ページ数「２０７」のページ画像が１０５ページのページ画像として挿入された場合の状態を示す図である。
【００７２】
しかる後、制御部２５は、ページ番号編集画面Ｇ１を更新し、図９に示したように挿入後のページ画像を識別可能に表示する（ステップＳＢ１１）。図９は、１０５ページに新たな左ページ画像１０１が挿入されたときの更新後のページ番号編集画面Ｇ１を示した図であり、制御部２５は、挿入された左ページ画像１０１の背景領域Ｇｃを、他の一般領域Ｇｂとは異なる色で表現することにより、挿入された左ページ画像１０１を識別可能とする。
【００７３】
これにより、ページ番号編集画面Ｇ１において、当該左ページ画像１０１が、編集処理に際して上記新たなページ画像を前述した一括選択、及び一括編集の対象外であることをユーザーに明示する。
【００７４】
以後、制御部２５は、ステップＳＢ３の処理に戻り、それ以降の処理を繰り返し実行するとともに、ユーザーによりページ編集の終了指示（他の動作モードへの変更指示等）があると（ステップＳＢ１２）、その時点でページ編集モードによる処理を終了する。
【００７５】
以上のように本実施形態においては、１回目の連続撮影で取得された一群のページ画像をグループとして管理し、ページ編集モードにおいてページ番号編集画面Ｇ１に一連のページ画像（左ページ画像及び右ページ画像）の一部を表示するとき、ブロック番号が相前後する先行グループと後続グループの境界に位置する各ページ画像の間に境界マーク５０１を表示する。
【００７６】
したがって、ユーザーは、電子データ化するページ数が多い場合であっても、どのページ画像が同じ（１回の）連続撮影で得られたものであるかを容易に知ることができる。よって、一連のページ画像を編集する際の作業性、特に複数のページ画像についてトリミングや色補正等を一括して行う際の作業性を向上させることができる。
【００７７】
なお、ページ番号編集画面Ｇ１には、ブロック番号が相前後する先行グループと後続グループの境界に位置する各ページ画像の間に境界マーク５０１を表示することによってグループ境界を明示した。しかし、グループ境界は、例えば境界マーク５０１に代えて所定の境界線等を表示したり、各ページ画像の背景を隣接するグループ間で異なる背景色や、異なる模様等で表現する等の任意の手法によって明示してもよい。
【００７８】
また、ページ番号編集画面Ｇ１には、境界マーク５０１とともに上ボタンｄ１と下ボタンｄ２を表示し、それらのタッチ操作によって、画面をいちいちスクロールさせることなく、末尾のページ画像が表示されているグループの先頭のページ画像や、先頭のページ画像が表示されているグループの末尾のページ画像を直ちに確認することができるようにした。したがって、ユーザーは、電子データ化するページ数が多い場合であっても、どの範囲のページ画像が同じ（１回の）連続撮影で得られたものであるかを容易に知ることができる。よって、一連のページ画像を編集する際の作業性をより一層向上させることができる。
【００７９】
なお、ページ番号編集画面Ｇ１における上ボタンｄ１と下ボタンｄ２との表示位置は任意の位置に変更することができる。また、上ボタンｄ１と下ボタンｄ２は、双方の機能を備えた一体的なものとすることができる。さらに、例えば上ボタンｄ１の機能を先行グループの末尾のページ画像に割り当て、下ボタンｄ２の機能を後続グループの先頭のページ画像に割り当てることもできる。その場合の操作方法としては、例えば各ページ画像を所謂ダブルタップとする方法がある。
【００８０】
また、編集作業によって挿入されたページ画像を、特定のブロック番号（「０」）に関係付けることにより、１回の連続撮影で取得した一群のページ画像（グループ）とは別に管理し、それを識別可能に表示するようにした。これにより、既説したようにグループ単位での一括編集を可能とする場合においては、一括編集ができないページ画像をユーザーに確実に知らせることができる。よって、一連のページ画像を編集する際の作業性をより一層向上させることができる。
【００８１】
なお、挿入されたページ画像を識別可能とする手法については任意であり、適宜変更することができる。例えば特定のページ画像の背景領域Ｇｃに網掛けを施すようにしてもよいし、そのページ画像の背景領域Ｇｃや、その周縁を囲む矩形の枠を表示させるようにしてもよい。
【００８２】
また、一連のページ画像を１回目の連続撮影で取得された一群のページ画像をグループとして管理するに際し、連続撮影が行われる度に設定されたブロック番号に一群のページ画像を個別に関係付けるようにした。よって、例えば撮影ページ数が隣接するグループを跨いで連続する複数のページ画像が削除された場合であっても支障なく、その後も同様に一連のページ画像をグループを単位として管理することができる。
【００８３】
なお、一連のページ画像を１回目の連続撮影で取得された一群のページ画像をグループとして管理するに際の具体的な方法は任意であり、例えば各グループの先頭のページ画像と末尾のページ画像とを示す管理情報を管理テーブル２６０に記憶し、それに基づいて一群のページ画像をグループとして管理することもできる。但し、その場合には、撮影ページ数が隣接するグループを跨いで連続する複数のページ画像が削除されたとき、その時点で削除後における各グループの先頭のページ画像と末尾のページ画像とを示す管理情報を新たに生成する必要がある。
【００８４】
また、本実施形態においては、タブレット２について説明したが、これに限らず、一般的なパーソナルコンピュータ等の他の情報機器においても同様の処理を可能とするプログラムを供給することにより本発明を実現することができる。また、その際のプログラムの供給方法は任意であり、例えばインターネット上のＷｅｂページからプログラムをパーソナルコンピュータ等に供給してもよい。
【００８５】
また、プログラムをインターネット上のサーバーに格納しておき、サーバーにおいて図３、及び図５に示した処理を実行させるようにしてもよい。その場合、ページ番号編集画面Ｇ１の表示、及びそれらの画面に対するユーザーの操作を、サーバーと協働してパーソナルコンピュータ等において行うこととなる。但し、最終的に生成する書籍ファイル等の保存はサーバー、又はパーソナルコンピュータ等のいずれであっても構わない。
【００８６】
また、ここでは、ページめくり装置を用いて書籍等の各ページを連続撮影することにより取得した複数のページ画像を管理する場合について説明したが、本発明は、管理対象の複数の画像がページ画像以外の撮影画像であっても、連続撮影により取得されるとともに互いに前後関係を有するものであれば有効である。その場合であっても、それら複数の撮影画像を編集する際の作業性、特に複数のページ画像についてトリミングや色補正等を一括して行う際の作業性を向上させることができる。
【００８７】
以上、本発明の好ましい実施形態及びその変形例について説明したが、本発明は、これらに限定されるものではなく、特許請求の範囲に記載された発明とその均等の範囲を含むものである。以下に、本出願の当初の特許請求の範囲に記載された発明を付記する。
（付記１）
連続撮影により取得される複数の撮影画像を記憶装置に記憶させる記憶制御手段と、
前記記憶装置に記憶された複数の撮影画像のうち、１回の前記連続撮影により取得された一群の撮影画像をグループとして管理する管理手段と、
前記記憶装置に記憶されている複数の撮影画像を互いの前後関係を維持し、かつ各グループの境界を明示した状態で表示画面に表示する表示制御手段と、
を備えたことを特徴とする画像管理装置。
（付記２）
前記複数の撮影画像の各々は、連続するページが個別に取得されたページ画像であることを特徴とする付記１記載の画像管理装置。
（付記３）
前記管理手段は、１回の前記連続撮影が行われる毎に前記グループの識別に使用するグループ識別情報を設定し、設定したグループ識別情報に前記一群の撮影画像を個別に関係付けることにより、１回の前記連続撮影により取得された一群の撮影画像をグループとして管理することを特徴とする付記１又は２記載の画像管理装置。
（付記４）
前記表示制御手段は、前記各グループにおける前後関係が先行する先行グループの末尾の撮影画像と前後関係が後続する後続グループの先頭の撮影画像との間に境界マークを表示することによって、前記表示画面に各グループの境界を明示することを特徴とする付記１乃至３のいずれか１つに記載の画像管理装置。
（付記５）
前記表示制御手段は、前記複数の撮影画像の互いの前後関係を維持し、かつ各グループの境界を明示した状態で前記表示画面に表示している間、表示対象となる前記複数の撮影画像の移動を指示するための移動指示ボタンを前記表示画面に表示するとともに、前記移動指示ボタンによる指示に応答し、前記複数の撮影画像の表示範囲を、明示している各グループの境界と前後する他の境界に対応する表示範囲に変更することを特徴とする付記１乃至４のいずれか１つに記載の画像管理装置。
（付記６）
前記表示制御手段は、前記移動指示ボタンとして、前記複数の撮影画像の表示範囲を、明示している各グループの境界を前記複数の撮影画像の前後関係に応じた１つ前の境界に対応する表示範囲に変更するための第１の移動指示ボタンと、明示している各グループの境界を前記複数の撮影画像の前後関係に応じた１つ次の境界に対応する表示範囲に変更するための第２の移動指示ボタンとを前記表示画面に個別に表示することを特徴とする付記５記載の画像管理装置。
（付記７）
前記記憶制御手段は、前記連続撮影により取得された複数の撮影画像と互いに前後関係を有するとともに、前記連続撮影とは異なる撮影により取得された個別の撮影画像を前記記憶装置に更に記憶し、
前記管理手段は、前記個別の撮影画像を前記グループと別に管理し、
前記表示制御手段は、表示対象に前記個別の撮影画像が含まれる場合、前記表示画面に当該撮影画像を他の撮影画像と識別可能に表示する
ことを特徴とする付記１乃至６のいずれか１つに記載の画像管理装置。
（付記８）
連続撮影により取得される複数の撮影画像を管理する方法であって、
前記複数の撮影画像を記憶装置に記憶させる記憶制御ステップと、
前記記憶装置に記憶した複数の撮影画像のうち、１回の前記連続撮影により取得された一群の撮影画像をグループとして管理する管理ステップと、
前記記憶装置に記憶されている複数の撮影画像を互いの前後関係を維持し、かつ各グループの境界を明示した状態で表示画面に表示する表示制御ステップと、
を含むことを特徴とする画像管理方法。
（付記９）
コンピュータを、
連続撮影により取得される複数の撮影画像を記憶装置に記憶させる記憶制御手段、
前記記憶装置に記憶された複数の撮影画像のうち、１回の前記連続撮影により取得された一群の撮影画像をグループとして管理する管理手段、
前記記憶装置に記憶されている複数の撮影画像を互いの前後関係を維持し、かつ各グループの境界を明示した状態で表示画面に表示する表示制御手段、
として機能させるためのプログラム。
【符号の説明】
【００８８】
１・・・書画カメラシステム、２・・・タブレット、３・・・ページめくり装置、２１・・・撮像部、２３・・・表示部、２５・・・制御部、２６・・・記憶部、５０１・・・境界マーク、Ｂ・・・書籍、Ｇ１・・・ページ番号編集画面、Ｇａ・・・機能表示領域、Ｇｂ・・・一般領域、Ｇｃ・・・背景領域、ｂ１・・・編集ボタン、ｄ１・・・上ボタン、ｄ２・・・下ボタン
【図１】
2017134642.tif 000003
【図２】
2017134642.tif 000004
【図３】
2017134642.tif 000005
【図４】
2017134642.tif 000006
【図５】
2017134642.tif 000007
【図６】
2017134642.tif 000008
【図７】
2017134642.tif 000009
【図８】
2017134642.tif 000010
【図９】
2017134642.tif 000011